(57)【要約】【課題】まつげ化粧後にマスカラ液がくっついたまつげを簡便に整理することができる櫛を外部キャップから簡便に引き出して使えるようにした整理用櫛を有するマスカラを提供する。【解決手段】マスカラ液を収容する容器と、前記容器の注入口に対して開閉操作されるマスカラ液塗布部と、前記マスカラ液塗布部に形成された収納溝と、前記収納溝に対して着脱可能に収納されて支持されるとともに化粧後にマスカラ液がくっついているまつげを整理するための整理用櫛とを含んでなる。【選択図】図１
2019130273.tif 000002
【特許請求の範囲】
【請求項１】
マスカラ液を収容する容器と、
前記容器の注入口に対して開閉操作されるマスカラ液塗布部と、
前記マスカラ液塗布部に形成された収納溝と、
前記収納溝に対して着脱可能に収納されて支持されるとともに化粧後にマスカラ液がくっついているまつげを整理するための整理用櫛とを含んでなることを特徴とする、整理用櫛を備えたマスカラ。
【請求項２】
前記マスカラ液塗布部は、前記容器の注入口に開閉操作可能に結合される内部キャップ、前記内部キャップから伸びたブラシ柄、前記ブラシ柄の端部に備えられるマスカラ液塗布用ブラシ及び前記内部キャップの外側に一体に結合されて一緒に開閉操作されるとともにマスカラ化粧時に取っ手の機能をする外部キャップを含んでなり、
前記マスカラ液塗布部に形成される収納溝は、前記外部キャップの外側に開放するように形成されることを特徴とする、請求項１に記載の整理用櫛を備えたマスカラ。
【請求項３】
前記容器の注入口には、マスカラ化粧時、マスカラ液塗布用ブラシに付いたマスカラ液を適切に掻き出すためのワイパーをさらに備えることを特徴とする、請求項１に記載の整理用櫛を備えたマスカラ。
【請求項４】
前記整理用櫛は、櫛の歯状の櫛の歯状部及び前記櫛の歯状部の一側に延設された取っ手部を含んでなることを特徴とする、請求項１に記載の整理用櫛を備えたマスカラ。
【請求項５】
前記整理用櫛は櫛の歯状部と取っ手部が一体型に成形されることを特徴とする、請求項４に記載の整理用櫛を備えたマスカラ。
【請求項６】
前記整理用櫛は櫛の歯状部と取っ手部が分離型に成形され、選択的に組み立てられて使われることを特徴とする、請求項４に記載の整理用櫛を備えたマスカラ。
【請求項７】
前記整理用櫛の取っ手部は多様な装飾体からなることを特徴とする、請求項４に記載の整理用櫛を備えたマスカラ。
【請求項８】
前記収納溝に対して着脱可能に収納される整理用櫛は、櫛の歯状部が収納溝に差し込まれるとき、取っ手部の係止段が収納溝を遮蔽する状態で支持されるようにして、携帯使用時、外部汚染物質が収納溝の内部に流入することを防止することを特徴とする、請求項１及び請求項４〜６のいずれか一項に記載の整理用櫛を備えたマスカラ。
【発明の詳細な説明】
【技術分野】
【０００１】
本発明は、まつげ化粧に使われるマスカラに関し、より詳しくは、まつげ化粧後にマスカラ液がくっついたまつげを簡便に整理することができる整理用櫛を外部キャップに収納して保管しながら簡便に引き出して使えるようにした整理用櫛を有するマスカラに関する。
【背景技術】
【０００２】
周知の如く、マスカラは、まつげを引き立つようにするために化粧する化粧品の一種である。
【０００３】
このようなマスカラは、一般的に、マスカラ液収容する容器、前記容器を開閉するための取っ手、前記取っ手の下部に突出する棒状のブラシ柄、前記ブラシ柄に形成される液塗布用ブラシ及びブラシに付いた液を適切に掻き出すためのワイパーからなり、前記取っ手と容器の結合又は分離によって前記ブラシにマスカラ液をつけて使うようにしたものである。
【０００４】
前記マスカラブラシは、毛の長さ及び形態によって、まつげに対するボリューム（Ｖｏｌｕｍｅ：眉毛をふんだんに見えるようにした効果）、カール（Ｃｕｒｌ：眉毛の末端を上方に巻き上げるようにした効果）、ロングラッシュ（Ｌｏｎｇ  ｌａｓｈ：眉毛の長さが長く見えるようにした効果）、クリーン（Ｃｌｅａｎ：眉毛がくっつかないようにした効果）などの多様な機能を有するように製作されて使われている。
【０００５】
前記マスカラブラシの基本的な役目は粘性を有するマスカラ液がまつげに均一に塗布され、まつげが互いにくっつかないようにしてブラシによるくしけずり効果に優れなければならないが、従来に提供されているマスカラブラシは、マスカラ液を塗布した後、粘性によって固まったマスカラ液を整理するとき、マスカラ液が付いている単一ブラシを使う関係で、眉毛に必要以上のマスカラ液が付いて整理が正常にできないとか、整理するのに相当な時間がかかる欠点があった。
【０００６】
すなわち、従来にはブラシでマスカラ液を塗布した後、マスカラ液が付いているブラシをマスカラ液を除去するとかあるいはマスカラ液が乾くようにした状態で、マスカラ液がなくなるとかあるいは乾いたブラシでまつげに塗布されてくっついたマスカラ液を整理しなければならない不便さがあった。
【０００７】
よって、従来には単一ブラシを使うため、粘性によってまつげにくっついたマスカラ液を別個の整理用機構（例えば、ブラシ）を用いてまつげを整理するとかあるいは前記マスカラ液を除去してまた化粧しなければならない不便さがあったものである。
【０００８】
故に、前記のようにマスカラブラシによるまつげのくっつき現象を解決するため、特許文献１（韓国特許登録第１０−０８１７５８５号）には、マスカラ液塗布用ブラシと整理用櫛を固定棒に二重に結合させて使用する構成が開示されている。
【０００９】
しかし、前記特許文献１の技術もやはり塗布用ブラシと整理用櫛が二重に重畳して結合された構成であるので、まつげにマスカラ液を塗布するとき、塗布用ブラシのみならず整理用櫛にもマスカラ液が付くという問題があり、それによってまつげに塗布されて固まったマスカラ液を整理するのには限界があるしかないものである。
【００１０】
また、特許文献２（韓国実用新案公開第２０−２０１８−０００００９４号）には、ブラシ柄の一側又は両側に第１及び第２ブラシを含めて櫛の歯状の第３ブラシを備えてまつげ化粧をするようにしたマスカラが開示されているが、単一ブラシ柄にそれぞれのブラシが備えられるため、まつげ化粧又はまつげに塗布されて固まったマスカラ液の整理及び除去には構造上限界があるしかないものである。
【先行技術文献】
【特許文献】
【００１１】
【特許文献１】韓国特許登録第１０−０８１７５８５号公報
【特許文献２】韓国実用新案第２０−２０１８−０００００９４号公報
【発明の概要】
【発明が解決しようとする課題】
【００１２】
したがって、本発明は従来の諸般の問題点を解決するためになされたもので、本発明の目的は、マスカラ液塗布用ブラシとは別に、まつげ化粧後にマスカラ液がくっついたまつげを簡便に整理することができる別個の整理用櫛を外部キャップに着脱可能に収納して保管し、これを必要時に簡便に引き出して使えるようにすることにより、製品の使用便利性を著しく高めた整理用櫛を有するマスカラを提供することにある。
【課題を解決するための手段】
【００１３】
前記のような課題を解決するための本発明の整理用櫛を有するマスカラは、マスカラ液を収容する容器と、前記容器の注入口に対して開閉操作されるマスカラ液塗布部と、前記マスカラ液塗布部に形成された収納溝と、前記収納溝に対して着脱可能に収納されて支持されるとともに化粧後にマスカラ液がくっついているまつげを整理するための整理用櫛とを含んでなることを特徴とする
【００１４】
前記マスカラ液塗布部は、前記容器の注入口に開閉操作可能に結合される内部キャップ、前記内部キャップから伸びたブラシ柄、前記ブラシ柄の端部に備えられるマスカラ液塗布用ブラシ及び前記内部キャップの外側に一体に結合されて一緒に開閉操作されるとともにマスカラ化粧時に取っ手の機能をする外部キャップを含んでなり、前記マスカラ液塗布部に形成される収納溝は、前記外部キャップの外側に開放するように形成されることができる。
【００１５】
前記容器の注入口には、マスカラ化粧時、マスカラ液塗布用ブラシに付いたマスカラ液を適切に掻き出すためのワイパーをさらに備えることができる。
【００１６】
前記整理用櫛は、櫛の歯状の櫛の歯状部及び前記櫛の歯状部の一側に延設された取っ手部を含んでなることができる。
【００１７】
前記整理用櫛は櫛の歯状部と取っ手部が一体型に成形されることができる。
【００１８】
前記整理用櫛は櫛の歯状部と取っ手部が分離型に成形され、選択的に組み立てられて使われることができる。
【００１９】
前記整理用櫛の取っ手部は多様な装飾体からなることができる。
【００２０】
前記収納溝に対して着脱可能に収納される整理用櫛は、櫛の歯状部が収納溝に差し込まれるとき、取っ手部の係止段が収納溝を遮蔽する状態で支持されるようにして、携帯使用時、外部汚染物質が収納溝の内部に流入することを防止することができる。
【発明の効果】
【００２１】
本発明によると、整理用櫛が外部キャップの収納溝に別に引出し可能に装着されているので、整理用櫛の携帯保管及び使用が非常に便利であり、その上マスカラ塗布用ブラシとは別に整理用櫛を用いてマスカラ液がくっついているまつげを整理することによって化粧後のまつげ整理を非常に効率的に行うことができるのはもちろんのこと、外部キャップを容器から分離しなくても整理用櫛をすぐ引き出して使うことができるので、使用の便利性が著しく向上する効果を提供するようになる。
【図面の簡単な説明】
【００２２】
【図１】本発明によるマスカラの組立正断面図である。
【図２】本発明によるマスカラの組立側断面図である。
【図３】図２の「Ａ」部の拡大断面図である。
【図４】本発明による整理用櫛が収納溝から引き出された状態の分離状態断面図である。
【図５】本発明によるマスカラ液塗布部が容器から分離された状態の断面図である。
【図６】本発明による整理用櫛が分離されるとか組み立てられる状態を示す分解断面図である。
【発明を実施するための形態】
【００２３】
以下、本発明による好適な実施例を添付図面に基づいて詳細に説明する。
【００２４】
図１〜図５を参照すると、整理用櫛を備えたマスカラ１００は、マスカラ液を収容する容器１１０；前記容器の注入口に対して開閉操作されるマスカラ液塗布部１２０；前記マスカラ液塗布部１２０に形成された収納溝１３０；及び前記収納溝１３０に対して着脱可能に収納支持されるとともに化粧後にマスカラ液がくっついたまつげを簡便に整理するための整理用櫛１４０；を含んでなることができる
【００２５】
本発明によると、前記マスカラ液塗布部１２０は、前記容器１１０の注入口１１２に開閉操作可能に結合される内部キャップ１２２と、前記内部キャップから伸びたブラシ柄１２４と、前記ブラシ柄の端部に備えられるマスカラ液塗布用ブラシ１２６と、前記内部キャップ１２２の外側に一体に結合されて一緒に開閉操作されるとともにマスカラ化粧時に取っ手の機能をする外部キャップ１２８とを含んでなり、前記マスカラ液塗布部１２０に形成される収納溝１３０は前記外部キャップ１２８の外側に開放するように形成されることができる。
【００２６】
前記収納溝１３０に着脱自在に備えられる整理用櫛１４０はマスカラ化粧後に眉毛をきちんと整理するのに使われるものであり、このような過程で自然にまつげにくっついているマスカラ液もこぎれいに整理及び除去することができるものである。
本発明によると、前記容器１１０の注入口１１２の内部には、マスカラ化粧時、マスカラ液塗布用ブラシ１２６に付くマスカラ液を適切に掻き出すためのワイパー１５０をさらに備えることができる。
【００２７】
また、本発明によると、前記整理用櫛１４０は、櫛の歯状になる櫛の歯状部１４２と、前記櫛の歯状部の一側に延設された取っ手部１４４とを含んでなることができる。
【００２８】
前記櫛の歯状部１４２は化粧後にまつげを実質的にくしけずることになる部分で、その形態又は模様は用途によって多様に実施可能であろう。
【００２９】
前記収納溝１３０に対して着脱可能に収納される整理用櫛１４０は、櫛の歯状部１４２が収納溝１３０に差し込まれるとき、取っ手部１４４の係止段１４５が収納溝を遮蔽する状態で支持されるようにすることで、携帯使用時、外部汚染物質が収納溝の内部に流入することを防止することが好ましい。
【００３０】
前記収納溝１３０に櫛の歯状部１４２が収納される整理用櫛１４０は携帯保管時には易しく抜け出ないようにし、使用者が取っ手を摘んで抜き出す場合にのみ抜き出るように組み立てられて構成されることが好ましい。このために、たとえ図面には示されていないが、収納溝の内周面又は櫛の歯状部の対応外周面に係止突起又は溝などの多様な係止手段を有することができる。
【００３１】
前記のように、整理用櫛１４０の取っ手部１４４によって収納溝１３０が遮蔽されることによって整理用櫛の衛生的な使用が可能となる。
【００３２】
前記整理用櫛１４０の櫛の歯状部１４２と取っ手部１４４は一体型に成形されることができる。
【００３３】
また、図６を参照すると、前記整理用櫛１４０の櫛の歯状部１４２と取っ手部１４４は分離して製造した後に選択的に組み立てて使うこともできる。
【００３４】
ここで、分離型の櫛の歯状部１４２と取っ手部１４４は、挿入片及び挿入溝を用いる挿着方式を含めた多様な方式を採用することができる。
【００３５】
前記櫛の歯状部１４２と取っ手部１４４が一体型に、又は分離型になる整理用櫛１４０は合成樹脂素材又は金属又はこれと類似した素材を用いて形成することができる。
【００３６】
特に、櫛の歯状部１４２と取っ手部１４４が分離型に形成される場合、消費者の嗜好又は選好度によって互いに同一又は相異なる素材でなることができる。
【００３７】
整理用櫛１４０が分離型に形成される場合、櫛の歯状部１４２と取っ手部１４４の一つを便利に入れ替えて使うことが可能であり、また毀損による交替使用も可能であろう。
【００３８】
本発明によると、前記整理用櫛１４０の取っ手部１４４は多様な飾りを有する形態になることができる。
【００３９】
ここで、多様な飾り形態とは、図面に例示した王冠状の飾りを含めて会社ログ又はシンボルマークなど多様に実施することができ、これにより会社又は製品の広告宣伝効果を含めて製品のイメージを一層高めることができる。
【００４０】
前記のように構成される本発明による整理用櫛を備えたマスカラ１００を用いてマスカラ化粧をしようとする場合には、まず容器１１０からマスカラ液塗布部１２０を分離する。
【００４１】
すなわち、外部キャップ１２８を摘んで容器１１０から分離する。すると、容器の内部に収容されたマスカラ液がマスカラ液塗布用ブラシ１２６に付いたままで引き出され、この過程でワイパー１５０を備えた場合にはマスカラ液を適切に掻き出しながら分離される。
【００４２】
よって、外部キャップ１２８を摘み、マスカラ液塗布用ブラシ１２６に付いたマスカラ液でまつげ化粧をすれば良く、化粧が完了した後にはまたマスカラ液塗布部１２０を容器１１０に結合する。
【００４３】
一方、マスカラ化粧後、まつげにマスカラ液が過度に付いているとか固まっている場合には、外部キャップ１２８の収納溝１３０に別に収納されられている整理用櫛１４０を引き出してまつげを整理すれば良い。
【００４４】
すなわち、収納溝１３０から引き出された整理用櫛１４０の取っ手部１４４を摘んで櫛の歯状部１４２でまつげをくしけずることによってまつげに付いているマスカラ液を除去するとともにまつげをきちんと整理することができる。
【００４５】
そして、整理用櫛１４０の使用が完了すれば、櫛の歯状部１４２をまた収納溝１３０に差し込んで収納して保管すれば良い。
【００４６】
前記整理用櫛１４０は、収納溝１３０に櫛の歯状部１４２が完全に収納されるとともに取っ手部１４４によって収納溝が遮蔽されることにより、携帯保管時、汚染物質の流入を防止し、また汚染物質による汚染を防止して衛生的な使用が可能となる。
【００４７】
以上、本発明を添付図面に基づいて説明したが、本発明はこれに限定されず、下記の特許請求範囲を逸脱しない範疇内で多くの修正及び変更があり得るのは言うまでもない。
【符号の説明】
【００４８】
１００    整理用櫛を備えたマスカラ
１１０    容器
１１２    注入口
１２０    マスカラ液塗布部
１２２    内部キャップ
１２４    ブラシ柄
１２６    マスカラ液塗布用ブラシ
１２８    外部キャップ
１３０    収納溝
１４０    整理用櫛
１４２    櫛の歯状部
１４４    取っ手部
１４５    係止段
１５０    ワイパー
【図１】
2019130273.tif 000003
【図２】
2019130273.tif 000004
【図３】
2019130273.tif 000005
【図４】
2019130273.tif 000006
【図５】
2019130273.tif 000007
【図６】
2019130273.tif 000008